(57)【要約】【課題】  書き込み型光ディスクの正規品とコピー品とを見分けることができるようにするための、書き込み型光ディスクの書き込み方法、識別方法、および識別プログラムを提供する。【解決手段】  ＣＤ−Ｒ等の書き込み型光ディスクＷにユーザーデータを書き込むユーザーデータ書き込みステップと、書き込み型光ディスクＷの、ユーザーデータのコピー時にはコピーされない所定エリアに、書き込み型光ディスクＷと書き込み型光ディスクＷのコピー品とを区別するための特定のＩＤコードを書き込むＩＤ書き込みステップとを含む。【選択図】          図１
2005092981.tif 000002
【特許請求の範囲】
【請求項１】
ＣＤ−Ｒ等の書き込み型光ディスクにユーザーデータを書き込むユーザーデータ書き込みステップと、
前記書き込み型光ディスクの、ユーザーデータのコピー時にはコピーされない所定エリアに、該書き込み型光ディスクと該書き込み型光ディスクの不正コピー品とを区別するための特定のＩＤコードを書き込むＩＤ書き込みステップとを含むことを特徴とする書き込み型光ディスクの書き込み方法。
【請求項２】
前記所定エリアは、ＰＭＡ内のＤｉｓｃ−ＩＤエリアおよび／またはＲｅｃｏｒｄｅｒ−ＩＤエリアであることを特徴とする請求項１記載の書き込み型光ディスクの書き込み方法。
【請求項３】
前記特定のＩＤコードの値をユーザーが設定するＩＤコード設定ステップを含むことを特徴とする請求項１または２記載の書き込み型光ディスクの書き込み方法。
【請求項４】
既にユーザーデータが書き込まれたＣＤ−Ｒ等の書き込み型光ディスクの、ユーザーデータのコピー時にはコピーされない所定エリアから、ＩＤコードを読み取るＩＤコード読み取りステップと、
該ＩＤコード読み取りステップで読み取った前記ＩＤコードが、ユーザーデータが正当な権限をもって書き込まれたことを示す特定の値でない場合には、前記書き込み型光ディスクが不正コピー品であると識別するコピー品識別ステップとを含むことを特徴とする書き込み型光ディスクの識別方法。
【請求項５】
前記所定エリアは、ＰＭＡ内のＤｉｓｃ−ＩＤエリアおよび／またはＲｅｃｏｒｄｅｒ−ＩＤエリアであることを特徴とする請求項４記載の書き込み型光ディスクの識別方法。
【請求項６】
前記コピー品識別ステップで、不正コピー品を識別した場合には、警告を表す情報を表示する警告表示ステップを含むことを特徴とする請求項４または５記載の書き込み型光ディスクの識別方法。
【請求項７】
ＣＤ−Ｒ等の書き込み型光ディスクにデータを書き込み可能な光ディスク制御部に連繋されたコンピュータ制御部を、
前記光ディスク制御部を介して書き込み型光ディスクにユーザーデータを書き込むユーザーデータ書き込み手段と、
前記光ディスク制御部を介して、書き込み型光ディスクの、ユーザーデータのコピー時にはコピーされない所定エリアに、該書き込み型光ディスクと該書き込み型光ディスクの不正コピー品とを区別するための特定のＩＤコードを書き込むＩＤ書き込み手段ととして機能させることを特徴とする書き込み型光ディスクの識別プログラム。
【請求項８】
前記コンピュータ制御部を、
前記特定のＩＤコードの値をユーザーに設定させるＩＤコード設定手段として機能させることを特徴とする請求項７記載の書き込み型光ディスクの識別プログラム。
【請求項９】
前記光ディスク制御部は、書き込み型光ディスクからデータを読み取り可能に設けられ、
前記コンピュータ制御部を、
前記光ディスク制御部を介して、既にユーザーデータが書き込まれた書き込み型光ディスクの前記所定エリアから読み取ったＩＤコードが、前記特定の値でない場合には、該書き込み型光ディスクが不正コピー品であると識別するコピー品識別手段として機能させることを特徴とする請求項７または８記載の書き込み型光ディスクの識別プログラム。
【請求項１０】
前記コンピュータ制御部を、
前記コピー品識別手段が不正コピー品を識別した場合には、警告を表す情報を出力する警告出力手段として機能させることを特徴とする請求項９記載の書き込み型光ディスクの識別プログラム。
【請求項１１】
ＣＤ−Ｒ等の書き込み型光ディスクからデータを読み取り可能な光ディスク制御部に連繋されたコンピュータ制御部を、
前記光ディスク制御部を介して、既にユーザーデータが書き込まれた書き込み型光ディスクの、ユーザーデータのコピー時にはコピーされない所定エリアから読み取ったＩＤコードが、ユーザーデータが正当な権限をもって書き込まれたことを示す特定の値でない場合には、該書き込み型光ディスクが不正コピー品であると識別するコピー品識別手段として機能させることを特徴とする書き込み型光ディスクの識別プログラム。
【請求項１２】
前記コンピュータ制御部を、
前記コピー品識別手段が不正コピー品を識別した場合には、前記光ディスク制御部が、該不正コピー品の書き込み型光ディスクからユーザーデータを読み取ることを禁止する、読み取り制限手段として機能させることを特徴とする請求項１１記載の書き込み型光ディスクの識別プログラム。
【請求項１３】
前記コンピュータ制御部を、
前記コピー品識別手段が不正コピー品を識別した場合には、警告を表す情報を出力する警告出力手段として機能させることを特徴とする請求項１１または１２記載の書き込み型光ディスクの識別プログラム。
【請求項１４】
前記所定エリアは、ＰＭＡ内のＤｉｓｃ−ＩＤエリアおよび／またはＲｅｃｏｒｄｅｒ−ＩＤエリアであることを特徴とする請求項７〜１３のうちのいずれか一項記載の書き込み型光ディスクの識別プログラム。
【発明の詳細な説明】
【技術分野】
【０００１】
本発明は、書き込み型光ディスクをその不正コピー品と区別するための、書き込み型光ディスクの書き込み方法、識別方法、および識別プログラムに関するものである。
【背景技術】
【０００２】
近年、ＣＤ−ＲやＤＶＤ＋Ｒ（−Ｒ）等の書き込み型光ディスクにデータを読み書き可能な光ディスク装置（以下、書き込み型光ディスク装置と呼ぶ）の普及に伴い、ＣＤ−ＲＯＭ等の読み出し専用光ディスクではなく、書き込み型光ディスクに、コンテンツやソフトウェア等のデータを書き込んで配布する業者等が増えている。
【０００３】
書き込み型光ディスクとしてのＣＤ−Ｒにソフトウェアのデータを記録して配布するシステムの一つが、特許文献１に開示されている。
特許文献１には、写真店が、画像データのビューアーソフトを記録したＣＤ−Ｒをユーザーに配布する技術が記載されている。
【０００４】
データを書き込み型光ディスクに書き込んで配布する技術によれば、ＣＤ−ＲＯＭ等の読み出し専用光ディスクを作成する場合に比較して、特に生産数が少ない場合にコストを抑えることができ、また、個々の光ディスク毎にデータ内容を変える（カスタマイズする）ことが容易となる等といったメリットがある。
【特許文献１】特開２００３−６７４７８号公報
【発明の開示】
【発明が解決しようとする課題】
【０００５】
しかしながら、業者等が書き込み型光ディスクにコンテンツやソフトウェア等のデータを書き込んで配布した場合、その書き込み型光ディスク（正規品）を不正コピーした書き込み型光ディスク（不正コピー品）が出回ったとしても、書き込み型光ディスクの外見には個体毎の相違点がほとんどないため、正規品と不正コピー品とを見分けることが困難であり、従って、不正コピー品を特定して書き込まれたコンテンツやソフトウェア等のデータの特許権や著作権の保護を図ること等が困難であるといった課題がある。
特に近年は、ＣＤ−Ｒ等の書き込み型光ディスクのコピーが、安価な書き込み型光ディスク装置によって非常に簡単に行えるため、不正コピー品が大量に出回って、正規品の配布が困難になるといった問題につながりやすい。
【０００６】
本発明は上記課題を解決すべくなされ、その目的とするところは、書き込み型光ディスクの正規品と不正コピー品とを見分けることができるようにするための、書き込み型光ディスクの書き込み方法、識別方法、および識別プログラムを提供することにある。
【課題を解決するための手段】
【０００７】
本発明に係る書き込み型光ディスクの書き込み方法は、上記課題を解決するために、以下の構成を備える。すなわち、ＣＤ−Ｒ等の書き込み型光ディスクにユーザーデータを書き込むユーザーデータ書き込みステップと、前記書き込み型光ディスクの、ユーザーデータのコピー時にはコピーされない所定エリアに、該書き込み型光ディスクと該書き込み型光ディスクの不正コピー品とを区別するための特定のＩＤコードを書き込むＩＤ書き込みステップとを含むことを特徴とする。
これによれば、正規品の書き込み型光ディスクの、コピー時にコピーされない所定エリアに、特定のＩＤコードを書き込んでおくことで、そのＩＤコードを調べることによって正規品と不正コピー品とを見分けることが可能となる。
【０００８】
さらに、前記所定エリアは、ＰＭＡ内のＤｉｓｃ−ＩＤエリアおよび／またはＲｅｃｏｒｄｅｒ−ＩＤエリアであることを特徴とする。
これによれば、規格で定められたＩＤエリアにＩＤコードを書き込むため、ＩＤコードを書き込むためのエリアを、書き込み型光ディスク上に新たに確保する必要がなく、ＩＤコードの書き込みを簡単に行うことができる。
【０００９】
また、前記特定のＩＤコードの値をユーザーが設定するＩＤコード設定ステップを含むことを特徴とする。
これによれば、ＩＤコードの値をユーザーが選択することができる。
【００１０】
また、本発明に係る書き込み型光ディスクの識別方法は、上記課題を解決するために、以下の構成を備える。すなわち、既にユーザーデータが書き込まれたＣＤ−Ｒ等の書き込み型光ディスクの、ユーザーデータのコピー時にはコピーされない所定エリアから、ＩＤコードを読み取るＩＤコード読み取りステップと、該ＩＤコード読み取りステップで読み取った前記ＩＤコードが、ユーザーデータが正当な権限をもって書き込まれたことを示す特定の値でない場合には、前記書き込み型光ディスクが不正コピー品であると識別するコピー品識別ステップとを含むことを特徴とする。
これによれば、書き込み型光ディスクの、コピー時にコピーされない所定エリアに書き込まれたＩＤコードを、ユーザーデータが正当な権限をもって書き込まれた正規品に書き込まれた特定の値と比較することで、正規品と不正コピー品とを見分けることができる。
【００１１】
さらに、前記所定エリアは、ＰＭＡ内のＤｉｓｃ−ＩＤエリアおよび／またはＲｅｃｏｒｄｅｒ−ＩＤエリアであることを特徴とする。
これによれば、規格で定められたＩＤエリアを利用して識別を行うため、ＩＤコードを書き込むためのエリアを、書き込み型光ディスク上に新たに確保する必要がなく、ＩＤコードの識別を簡単に行うことができる。
【００１２】
また、前記コピー品識別ステップで、不正コピー品を識別した場合には、警告を表す情報を表示する警告表示ステップを含むことを特徴とする。
これによれば、ユーザーが、警告を表す情報から、不正コピー品を認識することができる。
【００１３】
また、本発明に係る書き込み型光ディスクの識別プログラムは、上記課題を解決するために、以下の構成を備える。すなわち、ＣＤ−Ｒ等の書き込み型光ディスクにデータを書き込み可能な光ディスク制御部に連繋されたコンピュータ制御部を、前記光ディスク制御部を介して書き込み型光ディスクにユーザーデータを書き込むユーザーデータ書き込み手段と、前記光ディスク制御部を介して、書き込み型光ディスクの、ユーザーデータのコピー時にはコピーされない所定エリアに、該書き込み型光ディスクと該書き込み型光ディスクの不正コピー品とを区別するための特定のＩＤコードを書き込むＩＤ書き込み手段ととして機能させることを特徴とする。
これによれば、正規品の書き込み型光ディスクの、コピー時にコピーされない所定エリアに、特定のＩＤコードを書き込んでおくことで、そのＩＤコードを調べることによって正規品と不正コピー品とを見分けることが可能となる。
【００１４】
さらに、前記コンピュータ制御部を、前記特定のＩＤコードの値をユーザーに設定させるＩＤコード設定手段として機能させることを特徴とする。
これによれば、ＩＤコードの値をユーザーが選択することができる。
【００１５】
また、前記光ディスク制御部は、書き込み型光ディスクからデータを読み取り可能に設けられ、前記コンピュータ制御部を、前記光ディスク制御部を介して、既にユーザーデータが書き込まれた書き込み型光ディスクの前記所定エリアから読み取ったＩＤコードが、前記特定の値でない場合には、該書き込み型光ディスクが不正コピー品であると識別するコピー品識別手段として機能させることを特徴とする。
これによれば、書き込み型光ディスクの、コピー時にコピーされない所定エリアに書き込まれたＩＤコードを、正規品に書き込まれた特定の値と比較することで、正規品と不正コピー品とを見分けることができる。
【００１６】
さらに、前記コンピュータ制御部を、前記コピー品識別手段が不正コピー品を識別した場合には、警告を表す情報を出力する警告出力手段として機能させることを特徴とする。
これによれば、ユーザーが、警告を表す情報から、不正コピー品を認識することができる。
【００１７】
また、ＣＤ−Ｒ等の書き込み型光ディスクからデータを読み取り可能な光ディスク制御部に連繋されたコンピュータ制御部を、前記光ディスク制御部を介して、既にユーザーデータが書き込まれた書き込み型光ディスクの、ユーザーデータのコピー時にはコピーされない所定エリアから読み取ったＩＤコードが、ユーザーデータが正当な権限をもって書き込まれたことを示す特定の値でない場合には、該書き込み型光ディスクが不正コピー品であると識別するコピー品識別手段として機能させることを特徴とする。
これによれば、書き込み型光ディスクの、コピー時にコピーされない所定エリアに書き込まれたＩＤコードを、ユーザーデータが正当な権限をもって書き込まれた正規品に書き込まれた特定の値と比較することで、正規品と不正コピー品とを見分けることができる。
【００１８】
さらに、前記コンピュータ制御部を、前記コピー品識別手段が不正コピー品を識別した場合には、前記光ディスク制御部が、該不正コピー品の書き込み型光ディスクからユーザーデータを読み取ることを禁止する、読み取り制限手段として機能させることを特徴とする。
これによれば、不正コピー品のデータが使用されるのを防止することができる。
【００１９】
また、前記コンピュータ制御部を、前記コピー品識別手段が不正コピー品を識別した場合には、警告を表す情報を出力する警告出力手段として機能させることを特徴とする。
これによれば、ユーザーが、警告を表す情報から、不正コピー品を認識することができる。
【００２０】
また、前記所定エリアは、ＰＭＡ内のＤｉｓｃ−ＩＤエリアおよび／またはＲｅｃｏｒｄｅｒ−ＩＤエリアであることを特徴とする。
これによれば、規格で定められたＩＤエリアを利用して識別を行うため、ＩＤコードを書き込むためのエリアを、書き込み型光ディスク上に新たに確保する必要がなく、ＩＤコードの書き込みを簡単に行うことができる。
【発明の効果】
【００２１】
本発明によれば、書き込み型光ディスクの正規品と不正コピー品とを見分けることができる。
【発明を実施するための最良の形態】
【００２２】
以下、本発明に係る書き込み型光ディスクの書き込み方法、識別方法、および識別プログラムを実施するための最良の形態を、添付図面に基づいて詳細に説明する。
【００２３】
図１は、ＣＤ−Ｒ等の書き込み型光ディスクＷにデータを読み書き可能な光ディスク制御部としての書き込み型光ディスク装置Ｄと、書き込み型光ディスク装置Ｄに連繋されたコンピュータ制御部としてのコンピュータ制御部１０を備える、ホストコンピュータＨとのそれぞれの内部構成を示すブロック図である。
なお、書き込み型光ディスク装置Ｄは、必ずしもホストコンピュータＨと物理的に別体に設ける必要はなく、例えば、ホストコンピュータＨの筐体内に内蔵されて、ホストコンピュータＨ内で、ホストコンピュータＨのメインボード等と接続されていても良い。
また、本発明に係る光ディスク制御部とコンピュータ制御部とは、書き込み型光ディスク装置とホストコンピュータの制御部とといったものに限定されず、例えば単体で動作するオーディオ用ＣＤ−Ｒレコーダのように、光ディスク制御部とコンピュータ制御部とが、同一のマイコン制御部で構成されているものも含む。
【００２４】
ホストコンピュータＨは、キーボードやマウス等の、ユーザーが操作してデータ等を入力可能な入力装置２と、ディスプレイやスピーカ等の、ユーザーが認識可能な情報を出力できる出力装置４と、ＡＴＡＰＩやＵＳＢ等のインタフェースにより書き込み型光ディスク装置Ｄと通信する通信手段６と、ＣＰＵやメモリやハードディスク等から成り、ソフトウェアプログラムを実行可能なコンピュータ制御部１０とを備える。
【００２５】
また、ホストコンピュータＨには、書き込み型光ディスク装置Ｄに通信手段６を介してコマンド等を送信することで、書き込み型光ディスク装置Ｄを制御する光ディスク装置ドライバ１２と、光ディスク装置ドライバ１２を介して書き込み型光ディスク装置Ｄ内の書き込み型光ディスクＷにデータを書き込むアプリケーションプログラムである、コンテンツ書き込みプログラム１４と、光ディスク装置ドライバ１２を介して、既にユーザーデータが書き込まれた、書き込み型光ディスク装置Ｄ内の書き込み型光ディスクＷからデータを読み取るアプリケーションプログラムである、コンテンツ読み取りプログラム１６とが、コンピュータ制御部１０の記憶手段（ハードディスク）にコンピュータ読み取り可能に設けられ（インストールされ）ている。
コンテンツ書き込みプログラム１４とコンテンツ読み取りプログラム１６とにより、本発明の書き込み型光ディスクの識別プログラム１３が構成される。
【００２６】
コンテンツ書き込みプログラム１４は、ハードディスクに保存されている音楽データ等のコンテンツデータ１８を、光ディスク装置ドライバ１２を介してユーザーデータ書き込みコマンドを書き込み型光ディスク装置Ｄに送信することで、書き込み型光ディスク装置Ｄ内の書き込み型光ディスクＷに書き込むコンテンツ書き込み手段１４ａと、コンテンツ書き込み手段１４ａが光ディスクにコンテンツデータ１８（ユーザーデータ）を書き込む過程の前後または最中に、ＩＤ書き込みコマンドを書き込み型光ディスク装置Ｄに送信することで、書き込み型光ディスクＷの、ユーザーデータのコピー時にはコピーされないＰＭＡ内のＤｉｓｃ−ＩＤエリアに、書き込み型光ディスクＷと書き込み型光ディスクＷの不正コピー品とを区別するための特定のＩＤコードを書き込むと共に、そのＩＤコード設定値２０をハードディスクに保存するＩＤ書き込み手段１４ｂと、前記特定のＩＤコードの値を、入力装置２を介してユーザーが設定可能とするユーザーインタフェースを提供するＩＤコード設定手段１４ｃとを、コンピュータ制御部１０によって実行されることで実現するプログラムである。
【００２７】
コンテンツ読み取りプログラム１６は、光ディスク装置ドライバ１２を介してユーザーデータ読み取りコマンドを書き込み型光ディスク装置Ｄに送信することで、既にコンテンツデータが書き込まれた、書き込み型光ディスク装置Ｄ内の書き込み型光ディスクＷのユーザーデータエリアからコンテンツデータを読み取って、そのコンテンツデータに基づく映像や音楽等のコンテンツを、出力装置４を介して再生出力するコンテンツ読み取り手段１６ａと、光ディスク装置ドライバ１２を介して書き込み型光ディスク装置ＤにＩＤ読み取りコマンドを送信して書き込み型光ディスクＷのＤｉｓｃ−ＩＤエリアから読み取ったＩＤコードが、前記ＩＤコード設定値２０と異なる場合には、書き込み型光ディスクＷが不正コピー品であると識別するコピー品識別手段１６ｂと、コピー品識別手段１６ｂが不正コピー品を識別した場合に、警告メッセージや警告音を出力装置４に出力させる警告出力手段１６ｃとを、コンピュータ制御部１０によって実行されることで実現するプログラムである。
【００２８】
なお、Ｄｉｓｃ−ＩＤエリアとは、ＣＤ−Ｒの規格書であるオレンジブックに規定されたＰＭＡ（Ｐｒｏｇｒａｍ  Ｍｅｍｏｒｙ  Ａｒｅａ）内のエリアであり、規格上、６桁のランダムな数値を書き込むこととされている。
なお、書き込み型光ディスクＷ上のＩＤコードを書き込むエリアは、このＤｉｓｃ−ＩＤエリアに限定されず、ユーザーデータのコピー時にはコピーされないエリアであれば、どのエリアでも良い。例えば、ＰＭＡ内のＲｅｃｏｒｄｅｒ−ＩＤエリアや、ＰＭＡ内のその他のエリアや、ＰＣＡ（Ｐｏｗｅｒ  Ｃａｒｉｂｒａｔｉｏｎ  Ａｒｅａ）内や、ユーザーデータエリアのリードアウトエリアより外周側のエリア等に設けても良い。
【００２９】
書き込み型光ディスク装置Ｄは、ＡＴＡＰＩやＵＳＢ等のインタフェースによりホストコンピュータＨと通信する通信手段５０と、ＣＰＵやメモリ等から成り、図示しないフラッシュＲＯＭ等にプログラムとして記録されたファームウェアを実行可能な制御部５２と、書き込み型光ディスクＷを回転させるスピンドルモータ５４と、書き込み型光ディスクＷにレーザー光を照射すると共に書き込み型光ディスクＷからの反射光を受光する光ピックアップ５６と、制御部５２からの指示に応じて制御され、スピンドルモータ５４や光ピックアップ５６を制御して光ディスクにデータを読み書きするサーボドライバ５８とを備える。
【００３０】
書き込み型光ディスク装置Ｄは、ホストコンピュータＨから送信されてきたコマンドを解析および実行するコマンド解析実行手段６０と、コマンド解析実行手段６０がユーザーデータ書き込みコマンドを解析した際に、コマンド解析実行手段６０によって呼び出されて実行されるデータ書き込み手段６６と、同様にＩＤ書き込みコマンドが解析された際に実行されるＤｉｓｃ−ＩＤ書き込み手段６２と、ユーザーデータ読み取りコマンドが解析された際に実行されるデータ読み取り手段６４と、ＩＤ読み取りコマンドが解析された際にされた際に実行されるＤｉｓｃ−ＩＤ読み取り手段６８とを、制御部５２によって実行されることで実現する、ファームウェアを備える。
【００３１】
なお、本実施の形態のユーザーデータ書き込みコマンド、ＩＤ書き込みコマンド、ユーザーデータ読み取りコマンドおよびＩＤ読み取りコマンドの機能は、必ずしもそれぞれ一つのコマンドによって実現しなくてもよい。即ち、複数のコマンドを組み合わせてこれらのコマンドに該当する機能を実現するよう構成してもよいし、逆に、一つのコマンドによって複数の前記コマンドの機能を実現してもよい。
【００３２】
データ書き込み手段６６は、ユーザーデータ書き込みコマンドと共にホストコンピュータＨから送信されてきたデータ（本実施の形態においてはコンテンツデータ１８）を、サーボドライバ５８を制御して書き込み型光ディスクＷのユーザーデータエリアに書き込む。
【００３３】
Ｄｉｓｃ−ＩＤ書き込み手段６２は、ＩＤ書き込みコマンドと共にホストコンピュータＨから送信されてきたＩＤコードを、サーボドライバ５８を制御して書き込み型光ディスクＷのＤｉｓｃ−ＩＤエリアに書き込む。
【００３４】
データ読み取り手段６４は、既にユーザーデータ（コンテンツデータ）が書き込まれた書き込み型光ディスクＷのユーザデータを、サーボドライバ５８を制御して読み取って、ホストコンピュータに送信する。
【００３５】
Ｄｉｓｃ−ＩＤ読み取り手段６８は、既にユーザーデータ（コンテンツデータ）が書き込まれた書き込み型光ディスクＷのＤｉｓｃ−ＩＤエリアから、ＩＤコードを、サーボドライバ５８を制御して読み取ってホストコンピュータに送信する。
【００３６】
なお、図１においては、理解し易さのため、コンテンツ書き込み／読み取りプログラム１４，１６や書き込み型光ディスク装置Ｄのファームウェアが、制御部１０，５２でそれぞれ実行されることにより実現される各手段を、プログラムの範囲や制御部の範囲を示す囲い線の中に記載している。
【００３７】
次に、本実施の形態に係るホストコンピュータＨと書き込み型光ディスク装置Ｄとを用いた書き込み型光ディスクへの書き込み方法につき説明する。
【００３８】
コンテンツデータ（ユーザーデータ）が書き込まれていない書き込み型光ディスクＷにコンテンツデータを書き込む際には、ユーザーは、書き込み型光ディスク装置Ｄに書き込み型光ディスクＷを挿入し、ホストコンピュータＨ上でコンテンツ書き込みプログラム１４を実行させる。ユーザーは、コンテンツ書き込みプログラム上で、書き込み型光ディスクＷに書き込むコンテンツデータ１８を指定すると共に、コンテンツデータ１８が正当な権限をもって書き込まれたことを示すＩＤコードを、ＩＤコード設定手段１４を介して入力する。
なお、ＩＤコードの値は、必ずしもユーザーに設定させなくともよく、例えばコンテンツ書き込みプログラムが自動的に設定するよう構成してもよい。
【００３９】
すると、コンテンツ書き込み手段１４ａおよびＩＤ書き込み手段１４ｂは、書き込み型光ディスク装置Ｄに、光ディスク装置ドライバ１２を介してユーザーデータ書き込みコマンドとＩＤ書き込みコマンドとを送信し、ユーザーが指定したコンテンツデータ１８とＩＤコードとを、それぞれ書き込み型光ディスクＷのユーザーデータエリアとＤｉｓｃ−ＩＤエリアとに書き込ませる。
また、ＩＤ書き込み手段１４ｂは、書き込ませたＩＤコード設定値２０を、ホストコンピュータＨのハードディスク等の記憶手段に記憶させる。なお、複数のＩＤコードを選択的に用いることができるよう構成した場合には、ＩＤコード設定値２０は複数記憶できるよう構成する。
【００４０】
このようにして、コンテンツデータ１８が正当な権限をもって書き込まれたことを示す特定の値をＤｉｓｃ−ＩＤに持つ、正規品としての、コンテンツデータが書き込まれた書き込み型光ディスクＷを得ることができる。
【００４１】
続いて、本実施の形態に係るホストコンピュータＨと書き込み型光ディスク装置Ｄとを用いた書き込み型光ディスクの識別方法につき説明する。
【００４２】
正規品と同一のコンテンツデータが既に書き込まれた書き込み型光ディスクＷが、正規品であるか不正コピー品であるかを識別する際には、ユーザーは、書き込み型光ディスク装置Ｄに識別すべき書き込み型光ディスクＷを挿入し、ホストコンピュータＨ上でコンテンツ読み取りプログラム１６を実行させ、コピー品識別手段１６ｂを実行させる。
【００４３】
すると、コピー品識別手段１６ｂは、光ディスク装置ドライバ１２を介して、ＩＤ読み取りコマンドを送信し、書き込み型光ディスク装置Ｄに、書き込み型光ディスクＷからＤｉｓｃ−ＩＤの値を読み取らせる。そして、コピー品識別手段１６ｂは、書き込み型光ディスクＷから読み取ったＤｉｓｃ−ＩＤの値と、正規品の書き込み時にハードディスクに記憶しておいたＩＤコード設定値２０とを比較し、値が一致した場合には書き込み型光ディスクＷが正規品であると識別し、値が異なる場合には書き込み型光ディスクＷが不正コピー品であると識別する。
【００４４】
なお、ＩＤコード設定値２０が複数記憶されている場合には、書き込み型光ディスクＷから読み取ったＩＤコードが、どのＩＤコード設定値２０とも一致しなかった場合に不正コピー品と識別するよう構成しても良い。
また、識別をより高精度に行いたい場合には、コンテンツデータの内容とＩＤコード設定値２０とを関連付けて記憶しておき、書き込み型光ディスクＷのコンテンツデータの内容と、それに対応するＩＤコードとが一致した場合にのみ、正規品と識別するよう構成するとよい。
【００４５】
コピー品識別手段１６ｂが不正コピー品を識別した場合には、警告出力手段１６ｃが起動され、警告出力手段１６ｃは、例えば「挿入されたＣＤ−Ｒは不正コピーされたものです」等といった警告メッセージや警告音を、ディスプレイやスピーカ等の出力装置４に出力させる。これにより、書き込み型光ディスクＷが不正コピー品であることを、ユーザーが認識することができる。
【００４６】
このように、本実施の形態に係る書き込み型光ディスクの書き込み方法、識別方法および識別プログラム１３によれば、書き込み型光ディスクＷの正規品と不正コピー品とを見分けることが可能となる。
【００４７】
また、ＩＤコードを書き込むエリアを、オレンジブックの規格にあるＰＭＡのＤｉｓｃ−ＩＤエリアとしたことで、既存の書き込み型光ディスク装置ＤのＩＤコード読み取り手段（ＩＤ読み取りコマンド）を利用することができ、本発明を簡単に実施することができる。
【００４８】
また、書き込み型光ディスクの正規品と不正コピー品とを見分けるだけでなく、不正コピー品に書き込まれたコンテンツデータ（ユーザーデータ）は、ユーザーが使用できないようにしたい場合には、以下のようにすればよい。
【００４９】
まず、正規品の書き込み型光ディスクＷの、コピー時にはコピー対象となるユーザーデータエリアに、コンテンツデータと共に、コンテンツ読み取りプログラム１６（請求項１３〜１５の書き込み型光ディスクの識別プログラムに対応）と正規品のＩＤコード設定値２０とを書き込み、既存のプロテクト技術により、コンテンツデータを、コンテンツ読み取りプログラム１６を介してのみアクセス可能に構成しておく。
【００５０】
図２に、ユーザーが使用する、光ディスク制御部としての書き込み型光ディスク装置Ｄと、コンピュータ制御部としてのコンピュータ制御部１０を備えるホストコンピュータＨとのそれぞれの内部構成を示すブロック図を示す。
ユーザーが、ホストコンピュータＨのＯＳに組み込まれたファイル実行手段１７を介して前記書き込み型光ディスクＷにアクセスした際には、既存のプログラム自動起動技術により、書き込み型光ディスクＷ上のコンテンツ読み取りプログラム１６がユーザーのホストコンピュータＨ上で自動的に起動するよう構成する。コンテンツ読み取りプログラム１６が実現させるコピー品識別手段１６ｂは、不正コピー品を認識した際には、コンテンツ読み取り手段１６ａを起動させず、コンテンツデータへのアクセスを禁止する図示しない読み取り制限手段１６ｄを含むように構成する。
【００５１】
この構成により、ユーザーが書き込み型光ディスクＷにアクセスした際には、コンテンツ読み取りプログラム１６が起動し、コピー品識別手段１６ｂは、その書き込み型光ディスクＷのユーザーデータエリア（例えばコンテンツ読み取りプログラム中）に書き込まれた正規品のＩＤコード設定値２０と、その書き込み型光ディスクのＤｉｓｃ−ＩＤとを読み取って比較する。コピー品識別手段１６ｂは、両者が一致した場合にのみコンテンツデータのアクセスを許し、一致しない場合には、読み取り制限手段１６ｄにより、ユーザーのコンテンツデータへのアクセスを制限する。
【００５２】
通常の書き込み型光ディスク装置でコピーされた、不正コピー品の書き込み型光ディスクのＤｉｓｃ−ＩＤには、乱数に基づく値が書き込まれているため、前記両者の値が一致することはほとんど有り得ず、ユーザーは不正コピーした書き込み型光ディスクのコンテンツデータにアクセスすることができなくなる。
【００５３】
このように、本発明に係る書き込み型光ディスクの書き込み方法、識別方法、および識別プログラムによれば、書き込み型光ディスクの正規品と不正コピー品とを見分けることができ、また、不正コピー品のデータにはユーザーがアクセスできないよう、プロテクトをかけることが可能となる。
【００５４】
なお、例えば、ユーザーデータエリアに書き込まれたコンテンツが、ホストコンピュータＨ上で動作可能なアプリケーションプログラムのインストーラプログラムやアップデートプログラムである場合には、コピー品識別手段１６ｂをそのインストーラプログラム内に組み込んで、コピー品識別手段１６ｂが不正コピー品を認識した際には、読み取り制限手段１６ｄが書き込み型光ディスクＷ上のインストーラプログラムやアップデートプログラムの読み取りを制限してそれらのプログラムを起動させないよう構成してもよい。
【産業上の利用可能性】
【００５５】
本発明でいうところの書き込み型光ディスクは、ＣＤ−Ｒに限定されず、例えばＤＶＤ＋Ｒ（−Ｒ）等、書き込み可能なあらゆる光ディスクを含む。
また、書き込み型光ディスクに書き込まれるユーザーデータは、コンテンツデータに限定されず、例えばソフトウェアプログラム等、あらゆるデータが含まれる。
【図面の簡単な説明】
【００５６】
【図１】本実施の形態に係る書き込み型光ディスクの識別プログラムを有するシステムの構成を示したブロック図である。
【図２】本実施の形態に係る書き込み型光ディスクの識別プログラムが書き込まれた書き込み型光ディスクＷにアクセスした際のシステムの構成を示したブロック図である。
【符号の説明】
【００５７】
Ｄ  書き込み型光ディスク装置（光ディスク制御部）
Ｈ  ホストコンピュータ
Ｗ  書き込み型光ディスク
２  入力装置
４  出力装置
６  通信手段
１０  コンピュータ制御部
１２  光ディスク装置ドライバ
１３  書き込み型光ディスクの識別プログラム
１４  コンテンツ書き込みプログラム
１４ａ  コンテンツ書き込み手段（ユーザーデータ書き込み手段）
１４ｂ  ＩＤ書き込み手段
１４ｃ  ＩＤコード設定手段
１６  コンテンツ読み取りプログラム
１６ａ  コンテンツ読み取り手段（ユーザーデータ読み取り手段）
１６ｂ  コピー品識別手段
１６ｃ  警告出力手段
１６ｄ  読み取り制限手段
１８  コンテンツデータ
２０  ＩＤコード設定値
５０  通信手段
５２  制御部
５４  スピンドルモータ
５６  光ピックアップ
５８  サーボドライバ
６０  コマンド解析実行手段
６２  Ｄｉｓｃ−ＩＤ書き込み手段
６４  データ読み取り手段
６６  データ書き込み手段
６８  Ｄｉｓｃ−ＩＤ読み取り手段
【図１】
2005092981.tif 000003
【図２】
2005092981.tif 000004